(57)【要約】      （修正有）【課題】固定用ねじが締め付けられている状態であっても工具を使用することなく係合部と被係合部の係合を解除でき、取外し操作が簡単なパネル計器の取付具を提供する。【解決手段】パネルの開口部にパネル計器１を挿入した状態で取付ける取付具２である。パネル計器１は、ケース６を備え、ケース６には被係合部１４が設けられる。前後方向に延びる本体部２１と、被係合部１４に係合する係合部と、ケース６の内側に入り込む挿入部２３と、固定用ねじ３１を螺合状態で保持するねじ螺合保持部２４とを備える。係合部がパネルから離れる方向の弾性力を発揮する弾性変形部２５と、係合部が被係合部１４から離れる方向へ本体部２１が撓むように手動力を伝達する手動力伝達レバー部２６とを備える。手動力伝達レバー部２６は、固定用ねじ３１の頭部３１ａが挿通可能な大きさのねじ挿通孔３３を有している。【選択図】図３
2020193836.tif 000002
【特許請求の範囲】
【請求項１】
所定のパネルに形成された開口部にパネル計器を挿入した状態で取付ける取付具であって、
前記パネル計器は、前記開口部に挿入されるケースを備え、前記ケースには被係合部が設けられ、
前記パネル計器が前記開口部に挿入される方向と平行な方向に延びる本体部と、
前記本体部に設けられ、前記被係合部に係合する係合部と、
前記本体部に設けられ、前記ケースの内側に入り込む挿入部と、
前記本体部に設けられ、前記パネルに先端部が当接する固定用ねじを螺合状態で保持するねじ螺合保持部と、
前記本体部の前記パネルに近接する一端部に設けられ、前記係合部が前記パネルから離れる方向の弾性力を発揮する弾性変形部と、
前記本体部の他端部に設けられ、前記係合部が前記被係合部から離れる方向へ前記本体部が撓むように手動力を伝達する手動力伝達レバー部とを備え、
前記手動力伝達レバー部は、前記本体部と一体に形成されているとともに、前記固定用ねじの頭部が挿通可能な大きさのねじ挿通孔を有していることを特徴とするパネル計器の取付具。
【請求項２】
請求項１記載のパネル計器の取付具において、
前記手動力伝達レバー部は、前記ねじ挿通孔を挟む位置で前記ケースから離れる方向に延びる一対の縦板を有し、
前記縦板は、他方の前記縦板とは反対側に向けて突出する指掛け用の突片を有していることを特徴とするパネル計器の取付具。
【請求項３】
請求項１または請求項２に記載のパネル計器の取付具により、所定のパネルに形成された開口部にパネル計器を挿入した状態で取付けることを特徴とするパネル計器の取付構造。
【請求項４】
請求項１または請求項２に記載のパネル計器の取付具により、所定のパネルに形成された開口部に挿入した状態で取付けられることを特徴とするパネル計器。
【発明の詳細な説明】
【技術分野】
【０００１】
本発明は、パネルの開口部にパネル計器を挿入して取付けるパネル計器の取付具、パネル計器の取付構造および上記取付具によってパネルに取付けられたパネル計器に関する。
【背景技術】
【０００２】
パネルに設置される例えば温度調節計などのパネル計器は、パネルに挿入された状態で取付具によって固定されている。従来の取付具は、例えば特許文献１に記載されているように、合成樹脂製の部品と固定用ねじとを用いて構成されている。合成樹脂製の部品は、パネル計器に設けられた被係合部に係合する係合部を有し、パネル計器をパネルの裏側に向けて付勢して仮止めする機能を有している。固定用ねじは、パネル機器をパネルの裏側に向けて押してパネルに固定する機能を有している。
【０００３】
取付具の取外しは、固定用ねじを緩めて取付具を指で手前に引き抜いたり、固定用ねじが締付けられている状態で係合部と被係合部との係合を解除してから取付具を手前に引き抜いて行われる。係合部と被係合部との係合を解除するためには、工具を用いて係合部をパネル計器とは反対側に持ち上げて行う。
【先行技術文献】
【特許文献】
【０００４】
【特許文献１】特開２０１６−２０１４０６号公報
【発明の概要】
【発明が解決しようとする課題】
【０００５】
特許文献１に開示されている取付具では、固定用ねじが締め付けられている状態で係合部と被係合部との係合を解除するためには工具が必要で、操作性が悪いという問題があった。工具を使用することなく上記の操作を行うと、ねじ締め付けによる固定力が強固であるために、取外しにあたって係合部を持ち上げるために大きな力が必要になり、指を怪我するおそれがある。
【０００６】
本発明の目的は、固定用ねじが締め付けられている状態であっても工具を使用することなく係合部と被係合部の係合を解除でき、取外し操作が簡単なパネル計器の取付具を提供することを目的とする。また、本発明は、上記のパネル計器の取付具を用いたパネル計器の取付構造や、上記のパネル計器の取付具を使用可能なパネル計器を提供することも目的とする。
【課題を解決するための手段】
【０００７】
この目的を達成するために本発明に係るパネル計器の取付具は、所定のパネルに形成された開口部にパネル計器を挿入した状態で取付ける取付具であって、前記パネル計器は、前記開口部に挿入されるケースを備え、前記ケースには被係合部が設けられ、前記パネル計器が前記開口部に挿入される方向と平行な方向に延びる本体部と、前記本体部に設けられ、前記被係合部に係合する係合部と、前記本体部に設けられ、前記ケースの内側に入り込む挿入部と、前記本体部に設けられ、前記パネルに先端部が当接する固定用ねじを螺合状態で保持するねじ螺合保持部と、前記本体部の前記パネルに近接する一端部に設けられ、前記係合部が前記パネルから離れる方向の弾性力を発揮する弾性変形部と、前記本体部の他端部に設けられ、前記係合部が前記被係合部から離れる方向へ前記本体部が撓むように手動力を伝達する手動力伝達レバー部とを備え、前記手動力伝達レバー部は、前記本体部と一体に形成されているとともに、前記固定用ねじの頭部が挿通可能な大きさのねじ挿通孔を有しているものである。
【０００８】
本発明は、前記パネル計器の取付具において、前記手動力伝達レバー部は、前記ねじ挿通孔を挟む位置で前記ケースから離れる方向に延びる一対の縦板を有し、前記縦板は、他方の前記縦板とは反対側に向けて突出する指掛け用の突片を有していてもよい。
【０００９】
本発明に係るパネル計器の取付構造は、前記パネル計器の取付具により、所定のパネルに形成された開口部にパネル計器を挿入した状態で取付けるものである。
【００１０】
本発明に係るパネル計器は、前記パネル計器の取付具により、所定のパネルに形成された開口部に挿入した状態で取付けられるものである。
【発明の効果】
【００１１】
本発明に係るパネル計器の取付具の手動力伝達レバー部は、固定用ねじの頭部を挿通可能なねじ挿通孔を有しているから、作業者が指で把持することができるように形成することができる。したがって、本発明によれば、固定用ねじが締め付けられている状態であっても工具を使用することなく係合部と被係合部の係合を解除でき、取外し操作が簡単なパネル計器の取付具を提供することができる。
【００１２】
本発明に係るパネル計器の取付構造によれば、工具を使用することなくパネル計器をパネルから取外すことができるから、パネル計器の取外し作業を簡単に行うことができる。
本発明に係るパネル計器は、工具を使用することなくパネルから取外すことができるから、取外し作業が簡単なものとなる。
【図面の簡単な説明】
【００１３】
【図１】パネル計器の取付状態の斜視図である。
【図２】パネル計器の取付状態の斜視図である。
【図３】パネル機器と取付具の斜視図である。
【図４】パネル計器の取付状態の平面図である。
【図５】パネル計器の取付具の斜視図である。
【図６】パネル計器の取付具の斜視図である。
【図７】パネル計器の一部と取付具の断面図である。
【図８】パネル計器の一部と取付具の断面図である。
【図９】要部を破断して示す斜視図である。
【図１０】要部を破断して示す斜視図である。
【図１１】パネル計器の一部と係合解除状態にある取付具の断面図である。
【図１２】工具を使用して係合状態を解錠している状態を示す断面図である。
【図１３】パネル計器の取付具の変形例を示す斜視図である。
【図１４】パネル計器の取付具の変形例を示す斜視図である。
【発明を実施するための形態】
【００１４】
以下、本発明に係るパネル計器の取付具、パネル計器の取付構造およびパネル計器の一実施の形態を図１〜図１４を参照して詳細に説明する。
図１に示すパネル計器１は、例えば温度調節計として用いることができるもので、本発明に係る取付具２を用いる取付構造３によって所定のパネル４に取付けられている。
【００１５】
取付具２は、パネル４に形成された開口部５にパネル計器１を挿入した状態で取付けるものである。パネル計器１は、パネル４の開口部５に挿入されるケース６を備えている。この実施の形態による取付構造３は、ケース６の上下方向の２箇所をそれぞれ取付具２によってパネル４に取付ける構造である。
【００１６】
ケース６は、箱状に形成されており、パネル４の開口部５にパネル４の前方から挿入されている。パネル４の前方は、図１においては右上を指向する方向である。以下において、パネル計器１および取付具２を説明するにあたっては、便宜上、パネル計器１がパネル４の開口部５に挿入される方向と平行な方向を前後方向として行う。すなわち、パネル４の前面４ａ（図４参照）が指向する方向を前方とし、パネル４の裏面４ｂ（図４参照）が指向する方向を後方とし、図１の上下方向をパネル計器１の上下方向として説明する。また、パネル４を前方から見た状態で右側をパネル計器１および取付具２の右側とし、パネル４を前方から見た状態で左側をパネル計器１および取付具２の左側として説明する。
【００１７】
ケース６の前端部には、パネル４の開口部５より大きく形成されたフランジ１１が設けられている。ケース６は、フランジ１１がパネル４の前面４ａに接触する状態でパネル４に取付けられる。ケース６の上壁６ａと下壁６ｂとは互いに同一の構成となるように形成されている。上壁６ａと下壁６ｂとには、図１〜図３に示すように、多数の通気口１２と、取付具２を組み合わせるための係合穴１３と、取付具２と係合する被係合部１４とが形成されている。
【００１８】
通気口１２は、上壁６ａおよび下壁６ｂをそれぞれ貫通するように形成されている。係合穴１３は、上壁６ａおよび下壁６ｂの前部に、それぞれ左右方向に対をなすように形成されており、前後方向に延びている。係合穴１３の後端部１３ａは、他の部分より開口幅が大きくなるように形成されている。
【００１９】
被係合部１４は、図７に示すように、断面鋸歯状を呈する複数の突条１５によって構成されている。図７の破断位置は、図４中にVII−VII線によって示す位置である。これらの突条１５は、図３に示すように、上壁６ａと下壁６ｂの左右方向の中央部に設けられており、左右方向に延びる状態で前後方向に所定の間隔で並んでいる。突条１５の前側の面１５ａは、図７に示すように、上壁６ａおよび下壁６ｂに対して垂直に形成されている。突条１５の後側の面１５ｂは、突条１５の先端から離れるにしたがって次第に後側に位置するように傾斜している。
【００２０】
取付具２は、図５および図６に示すように、前後方向（パネル計器１が開口部５に挿入される方向と平行な方向）と左右方向とに延びる板状の本体部２１と、この本体部２１に設けられた、後述する複数の機能部とによって構成されている。本体部２１と複数の機能部とは、プラスチック材料によって一体成形により一体に形成されている。この取付具２は、本体部２１をケース６の上壁６ａまたは下壁６ｂに重ねた状態で使用される。
【００２１】
取付具２の複数の機能部とは、本体部２１の裏面（上壁６ａまたは下壁６ｂと接触する面）に突設された係合部２２（図６参照）および挿入部２３と、本体部２１の前側の表面に突設されたねじ螺合保持部２４（図５参照）と、本体部２１の一端部（パネル４に近接する一端部であって前端部）に設けられた弾性変形部２５と、本体部２１の他端部に設けられた手動力伝達レバー部２６などである。
係合部２２は、図６に示すように、本体部２１の後端側で左右方向に延びる一つの突条２７によって構成されている。この係合部２２は、図７に示すように、断面略三角形状であって、ケース６の被係合部１４に係合する形状に形成されている。
【００２２】
挿入部２３は、本体部２１の前端側の左右両端部に設けられた一対の突片２８，２８によって構成されている。この実施の形態による突片２８、図８に示すように、断面Ｌ字状に形成されている。図８の破断位置は、図４中にVIII−VIII線によって示す位置である。挿入部２３は、ケース６の内側に入り込んでケース６の係合穴１３に係合するように形成されている。係合穴１３の開口幅が相対的に大きい後端部１３ａは、挿入部２３の突片２８を通すことができるように形成されている。係合穴１３の後端部１３ａに挿入部２３が挿入された状態で取付具２がケース６に対して前進することにより、挿入部２３が係合穴１３に係合する。
【００２３】
ねじ螺合保持部２４は、固定用ねじ３１を螺合状態で保持している。固定用ねじ３１は、ねじ螺合保持部２４に対してねじ込まれることによって、図７に示すように、その先端部がパネル４に当接する。なお、図７を除いて固定用ねじ３１が表れる図においては、固定用ねじ３１のねじ部分を省略して描いてある。
【００２４】
弾性変形部２５は、本体部２１の前端部から左右方向に延びる一対のアーム３２，３２によって構成されている。アーム３２の先端部は、前方に向けて折り曲がる形状に形成されている。弾性変形部２５は、パネル４に押し付けられてアーム３２が弾性変形して撓むことにより、係合部２２がパネル４から離れる方向の弾性力を発揮する。
【００２５】
手動力伝達レバー部２６は、図５および図６に示すように、本体部２１から傾斜して後方に延びる手動力伝達部２６ａと、この手動力伝達部２６ａの後端から本体部２１と平行に後方に向けて延びる指掛け部２６ｂとから構成されている。手動力伝達部２６ａは、本体部２１から本体部２１の裏面とは反対方向に延びるとともに後方に延びており、ねじ螺合保持部２４よりも大きく本体部２１から突出している。すなわち、手動力伝達部２６ａは、作業者（図示せず）が指で指掛け部２６ｂを把持することができるように形成されている。この手動力伝達部２６ａには、固定用ねじ３１の頭部３１ａが挿通可能な大きさのねじ挿通孔３３を有している。
【００２６】
このように構成された取付具２を使用してパネル計器１をパネル４に取付けるためには、先ず、パネル４の開口部５にケース６の後端部を前方から挿入し、ケース６のフランジ１１をパネル４の前面４ａに当接させる。次に、取付具２の挿入部２３をケース６の係合穴１３の後端部１３ａに挿入し、図９に示すように取付具２の本体部２１をケース６の上壁６ａに載せる。このとき、取付具２の係合部２２がケース６の被係合部１４の後端部に係合するようになる。
【００２７】
次に、取付具２を上壁６ａに対して前方に押し、係合部２２が被係合部１４の突条１５を乗り越えて前に進むようにする。そして、弾性変形部２５がパネル４に当接した後、取付具２を更に前方に押す。このとき、図１０に示すように、弾性変形部２５のアーム３２が撓んで傾くように弾性変形するとともに、係合部２２が被係合部１４に係合する状態とすることが望ましい。図１０は、弾性変形部２５が弾性変形する様子を理解し易いように、弾性変形を誇張して描いてある。弾性変形部２５が弾性変形することによって、係合部２２を含めて本体部２１が後方に付勢され、これに伴ってケース６が後方に付勢される。この結果、ケース６のフランジ１１がパネル４に前方から押し付けられるようになり、ケース６がパネル４に仮に保持される。
【００２８】
このようにケース６がパネル４に仮に保持された後、ケース６の下壁６ｂに取付具２を装着し、この取付具２を上壁６ａ側の取付具２と同様に前進させて下壁６ｂ側においてもケース６をパネル４に仮に保持させる。
しかる後、上壁６ａ側の取付具２の固定用ねじ３１と、下壁６ｂ側の取付具２の固定用ねじ３１とをそれぞれ締め込み、これらの固定用ねじ３１の先端部をそれぞれパネル４に押し付ける（図７参照）。固定用ねじ３１を締め付けるにあたっては、工具を手動力伝達レバー部２６のねじ挿通孔３３に通して行うことができる。このように固定用ねじ３１がパネル４に押し付けられることにより、パネル４が固定用ねじ３１とケース６のフランジ１１とによって挟持された状態でケース６（パネル計器１）がパネル４に取付けられる。
【００２９】
取付具２を取外す場合は、図１１に示すように、手動力伝達レバー部２６の指掛け部２６ｂを例えば指Ａ，Ｂで把持し、手動力伝達レバー部２６を上壁６ａあるいは下壁６ｂから離れる方向に撓ませる。このとき、手動力伝達レバー部２６は、係合部２２が被係合部１４から離れる方向へ本体部２１が撓むように手動力を伝達する。手動力伝達レバー部２６から伝達された手動力で本体部２１が撓むことにより、係合部２２が弾性変形しながら被係合部１４から外れる。図１１に示す係合部２２は、弾性変形する様子を理解し易いように、弾性変形を誇張して描いてある。
このように係合部２２と被係合部１４との係合が解除された状態で手動力伝達レバー部２６を後方に引くことによって、取付具２が後退してパネル４を押すことがなくなり、取付具２を上壁６ａまたは下壁６ｂから取外すことができるようになる。
【００３０】
このように、この実施の形態による取付具２においては、固定用ねじ３１が締め付けられている状態であっても工具を使用することなく係合部２２と被係合部１４の係合を解除することができる。したがって、この実施の形態を採ることにより、取外し操作が簡単なパネル計器の取付具を提供することができる。
この実施の形態によるパネル計器１の取付構造３によれば、工具を使用することなくパネル計器１をパネル４から取外すことができるから、パネル計器１の取外し作業を簡単に行うことができる。また、この実施の形態によるパネル計器１は、工具を使用することなくパネル４から取外すことができるから、取外し作業が簡単なものとなる。
【００３１】
取付具２を取外すにあたっては、図１２に示すように、工具４１を使用して行うことができる。工具４１は、例えばドライバーを用いることができる。工具４１を使用して取付具２を取外すためには、工具４１の先端部を手動力伝達レバー部２６のねじ挿通孔３３に通すとともに、工具４１の中間部をケース６の後端の角部４２に接触させる。そして、工具の把持部４３をケース６に向けて押し、てこの原理で手動力伝達レバー部２６を持ち上げる。
【００３２】
（取付具の変形例）
本発明に係るパネル計器の取付具は、図１３および図１４に示すように構成することができる。図１３および図１４において、図１〜図１２によって説明したものと同一もしくは同等の部材については、同一符号を付し詳細な説明を適宜省略する。
図１３および図１４に示す取付具２の手動力伝達レバー部２６は、ねじ挿通孔３３を挟む位置でケース６（図示せず）から離れる方向に延びる一対の縦板５１，５１を有している。縦板５１の前側部分は、前方に向けて延びる補強用リブ５２を構成している。縦板５１，５１の後端どうしは、図１４に示すように、左右方向に延びる連結板５３によって互いに接続されている。
【００３３】
また、縦板５１は、他方の縦板５１とは反対側に向けて突出する指掛け用の突片５４を有している。突片５４は、縦板５１における本体部２１から最も離間した位置に設けられており、指掛け部２６ｂに連なっている。
この実施の形態によれば、手動力伝達レバー部２６を左右方向の両側から把持することができるから、本体部２１を係合部２２が被係合部１４から離れるように撓ませる作業をより一層容易に行うことができる。したがって、この実施の形態を採ることにより、操作性が更に高いパネル計器１の取付具２を実現することができる。
【００３４】
上述した実施の形態においては、取付具２をケース６の上壁６ａと下壁６ｂとに装着する例を示した。しかし、本発明は、このような限定にとらわれることはなく、取付具２をケース６の左右両側の壁にそれぞれ装着しても実施可能である。
【符号の説明】
【００３５】
１…パネル計器、２…取付具、４…パネル、５…開口部、６…ケース、１４…被係合部、２１…本体部、２２…係合部、２３…挿入部、２４…ねじ螺合保持部、２５…弾性変形部、２６…手動力伝達レバー部、３１…固定用ねじ、３３…ねじ挿通孔、５１…縦板、５４…突片。
【図１】
2020193836.tif 000003
【図２】
2020193836.tif 000004
【図３】
2020193836.tif 000005
【図４】
2020193836.tif 000006
【図５】
2020193836.tif 000007
【図６】
2020193836.tif 000008
【図７】
2020193836.tif 000009
【図８】
2020193836.tif 000010
【図９】
2020193836.tif 000011
【図１０】
2020193836.tif 000012
【図１１】
2020193836.tif 000013
【図１２】
2020193836.tif 000014
【図１３】
2020193836.tif 000015
【図１４】
2020193836.tif 000016